(57)【特許請求の範囲】
【請求項１】
マウントを介してカメラボディに装着されるレンズ鏡筒であって、
第１レンズを保持する第１レンズ保持枠と、
前記第１レンズ保持枠を前記第１レンズの光軸方向に移動可能に支持するガイドバーと、
第２レンズを保持し、前記ガイドバーが挿通され、光軸と交差する方向に移動可能な第２レンズ保持枠と、
前記ガイドバーの一端を保持する偏心部材と、
前記偏心部材と前記ガイドバーの他端とを保持する保持部材と、
前記保持部材と前記第２レンズ保持枠とを固定する固定部材と、を備え、
前記偏心部材は、前記光軸方向において、前記マウントと前記第１レンズ保持枠との間に設けられ、
前記偏心部材の回転中心の位置は、前記ガイドバーの軸の中心位置とは異なり、
前記第２レンズ保持枠は、前記偏心部材の回転による前記ガイドバーの移動によって、光軸と交差する方向に移動し、前記ガイドバーが挿通される第１穴と前記固定部材が挿通される第２穴とを有し、前記第２穴の径は、前記固定部材の径よりも大きいレンズ鏡筒。
【請求項２】
第１カム溝と第２カム溝とを有するカム筒を備え、
前記第１レンズ保持枠は、前記第１カム溝と係合する第１カムフォロアを有し、
前記保持部材は、前記第２カム溝と係合する第２カムフォロアを有する
請求項１に記載のレンズ鏡筒。
【請求項３】
前記偏心部材は、前記保持部材に対して回転可能に保持されている
請求項１又は請求項２に記載のレンズ鏡筒。
【請求項４】
前記第１レンズ保持枠は、前記ガイドバーに沿って前記光軸方向に移動する
請求項１から請求項３のいずれか１項に記載のレンズ鏡筒。
【請求項５】
前記保持部材は、前記光軸方向に移動する
請求項１から請求項４の何れか一項に記載のレンズ鏡筒。
【請求項６】
前記保持部材の外側に固定筒を備え、
前記マウントは、前記固定筒に固定されている
請求項１から請求項５の何れか一項に記載のレンズ鏡筒。
【請求項７】
前記保持部材と前記ガイドバーと前記第２レンズ保持枠とは、一体で前記光軸方向に移動する
請求項１から請求項６のいずれか１項に記載のレンズ鏡筒。
【請求項８】
第３レンズを保持する第３レンズ保持枠を備え、
前記保持部材は、前記第３レンズ保持枠を保持し、
前記保持部材と前記ガイドバーと前記第２レンズ保持枠と前記第３レンズ保持枠とは、一体で前記光軸方向に移動する
請求項１から請求項７のいずれか１項に記載のレンズ鏡筒。
【請求項９】
前記第１レンズは、ブレを補正するレンズである
請求項１から請求項８の何れか一項に記載のレンズ鏡筒。
【請求項１０】
前記第１レンズ保持枠を支持し、前記第１レンズ保持枠の回転を規制する第２ガイドバーを備える
請求項１から請求項９の何れか一項に記載のレンズ鏡筒。
【発明の詳細な説明】
【技術分野】
【０００１】
本発明は、レンズ鏡筒及び撮像装置に関するものである。
【背景技術】
【０００２】
従来、ガイドバーで懸架されるレンズ群を備えるレンズ鏡筒がある（例えば、特許文献１参照）。
【先行技術文献】
【特許文献】
【０００３】
【特許文献１】特開２００１−０６６４８７号公報
【発明の概要】
【発明が解決しようとする課題】
【０００４】
しかし、このようなレンズ鏡筒では、ガイドバーを保持する枠体に固定された固定レンズ群と、ガイドバーに懸架される可動レンズ群との間における相互の偏心が発生し、光学性能の低下を招いてしまう可能性がある。
【０００５】
本発明の課題は、容易に光学調芯が可能なレンズ鏡筒及び撮像装置を提供することである。
【課題を解決するための手段】
【０００６】
本発明のレンズ鏡筒は、マウントを介してカメラボディに装着されるレンズ鏡筒であって、第１レンズを保持する第１レンズ保持枠と、前記第１レンズ保持枠を前記第１レンズの光軸方向に移動可能に支持するガイドバーと、前記ガイドバーの一端を保持する偏心部材と、前記偏心部材と前記ガイドバーの他端とを保持する保持部材と、を備え、前記偏心部材は、前記光軸方向において、前記マウントと前記第１レンズ保持枠との間に設けられ、前記偏心部材の回転中心の位置は、前記ガイドバーの軸の中心位置とは異なる構成とした。
【０００７】
なお、上記構成は、適宜改良してもよく、また、少なくとも一部を他の構成物に代替してもよい。
【発明の効果】
【０００８】
本発明によれば、容易に光学調芯が可能なレンズ鏡筒及び撮像装置を提供することができる。
【図面の簡単な説明】
【０００９】
【図１】本発明に係る一実施形態であるカメラを概念的に示す図である。
【図２】図１におけるレンズ鏡筒の部分拡大断面図である。
【図３】レンズ鏡筒の図２とは異なる断面位置における部分拡大断面図である。
【図４】第３レンズ群を保持する第３レンズ枠の外観斜視図である。
【図５】偏心カラーによる第４レンズ群の調心機構を説明する概念図である。
【発明を実施するための形態】
【００１０】
以下、図面等を参照して、本発明の実施形態について説明する。
図１は、本発明に係る一実施形態であるカメラ１を概念的に示す図である。
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側ともいう。さらに、光軸ＯＡ（すなわちＺ軸）と平行な方向の移動を「直進」、光軸ＯＡを中心とする回動を「回転」という。
【００１１】
カメラ１は、カメラ本体１０と、レンズ鏡筒１００と、によって構成されている。
レンズ鏡筒１００は、焦点距離を可変調整可能ないわゆるズームレンズである。レンズ鏡筒１００は、撮影光学系を構成する複数のレンズ群（Ｌ１〜Ｌ５）を備えている。
また、レンズ鏡筒１００は、カメラマウントＣＭと着脱可能に係合するレンズマウントＬＭを備えており、このレンズマウントＬＭによってカメラ本体１０に着脱可能に装着されるようになっている。
これにより、カメラ１は、用途に応じて異なるレンズ鏡筒１００を交換して撮影することができるようになっている。このレンズ鏡筒１００については、後に詳述する。
【００１２】
カメラ本体１０は、クイックリターンミラー１１、ファインダスクリーン１２、ペンタプリズム１３、接眼光学系１４、シャッター１５、撮像素子１６、表示装置１７及び制御装置１８等を備えている。
クイックリターンミラー１１は、レンズ鏡筒１００によって集光された被写体像の光路を、ファインダスクリーン１２に向けて屈曲させるためにカメラ本体１０内に揺動可能に設けられたミラーである。クイックリターンミラー１１は、レリーズ操作に応じて、被写体光の撮像素子１６への入射を妨げない退避位置（図１中に二点鎖線で示す）に移動する。
【００１３】
ファインダスクリーン１２は、クイックリターンミラー１１により反射された被写体像を結像させるスクリーンであり、クイックリターンミラー１１とペンタプリズム１３との間に配置されている。
ペンタプリズム１３は、断面形状が五角形のプリズムであって、カメラ本体１０を横位置に構えた状態の上部に配設されている。ペンタプリズム１３は、ファインダスクリーン１２に結像した像を正立像として接眼光学系１４へと導く。
【００１４】
接眼光学系１４は、ペンタプリズム１３により正立像となった被写体像を、拡大観察するための光学系であり、ペンタプリズム１３の背面側（撮影者側）に配置されている。
シャッター１５は、レリーズ操作に応じて開閉し、撮像素子１６に結像する被写体像光の露光時間を制御する。
【００１５】
撮像素子１６は、レンズ鏡筒１００によって結像された被写体像を電気信号に変換する、たとえば、ＣＣＤ等の光電変換素子である。撮像素子１６は、カメラ本体１０の内部の背面側（図１に示す右側）に、受光面を光軸ＯＡに対して直交させた状態で設けられている。
表示装置１７は、カメラ本体１０の外側の背面側（撮影者側）に設けられた液晶等の表示パネルを備えている。表示装置１７は、表示パネルに撮影画像や、露光時間等の撮影に関する情報等を表示する。
制御装置１８は、ＣＰＵ等を備えて構成され、前述した当該カメラ本体１０の各構成要素およびレンズ鏡筒１００を統括的に制御する。
【００１６】
カメラ本体１０は、前述したようにレンズ鏡筒１００が一体に結合されてカメラ１を構成する。結合状態では、カメラ本体１０の制御装置１８および図示しない電源が図示しない接続端子を介してレンズ鏡筒１００と接続され、制御装置１８によってレンズ鏡筒１００における図示しない合焦モータや絞りユニット等を制御駆動するようになっている。
【００１７】
そして、カメラ１は、撮影時において下記のように作用する。
カメラ本体１０が備える図示しないシャッターボタンが押圧操作（レリーズ操作）されると、クイックリターンミラー１１が退避位置に移動する。シャッター１５は、レリーズ操作に応じて開閉し、撮像素子１６に被写体像光を所定時間露光させる。撮像素子１６は、被写体像光を電気信号に変換して撮像する。撮像素子１６によって撮像された撮像データは、図示しない記録部に記録され、これによって、撮影が行われる。
【００１８】
つぎに、前述した図１に加えて図２〜図５を参照し、レンズ鏡筒１００について詳細に説明する。
図２は、図１におけるレンズ鏡筒１００の部分拡大断面図である。図３は、レンズ鏡筒１００の図２とは異なる断面位置における部分拡大断面図である。図４は、第３レンズ群Ｌ３を保持する第３レンズ枠Ｆ３の外観斜視図である。図５は、偏心カラー１５０による第４レンズ群Ｌ４の調心機構を説明する概念図であって、（ａ）はガイドバー保持筒１３０部分の拡大断面図，（ｂ）はその偏心カラー１５０を背面側から見た図である。
【００１９】
レンズ鏡筒１００は、前述したように焦点距離を可変調整可能なズームレンズである。固定鏡筒１１０の内部に、カム筒１２０と、ガイドバー保持筒１３０と、５群のレンズ群（Ｌ１〜Ｌ５）と、を備えている。レンズ鏡筒１００は、背面側の端部に設けられたレンズマウントＬＭを介してカメラ本体１０に装着される。
【００２０】
レンズ鏡筒１００における焦点距離の変化（ズーミング）は、レンズ群（Ｌ１〜Ｌ５）の光軸ＯＡ方向の移動によって行われる。図１〜図３は、広角側端部を示し、望遠側では図示状態からレンズ群（Ｌ１〜Ｌ５）がそれぞれ所定量前面側に移動する。また、レンズ鏡筒１００における結像位置の移動（焦点調節）は、第２レンズ群Ｌ２の光軸ＯＡ方向の移動によって行われる。さらに、レンズ鏡筒１００は、手振れ等に起因する結像面における像移動を補正するブレ補正ユニット２００を備えている。第４レンズ群Ｌ４はこのブレ補正ユニット２００を構成するブレ補正光学系である。
【００２１】
固定鏡筒１１０は、当該レンズ鏡筒１００の外面を形成する外筒部１１１と、その内周側に同心状に位置する固定内筒１１２とが、基端部（背面側の端）で一体に構成されている。固定鏡筒１１０の背面側の端部には、レンズマウントＬＭが固定されている。
外筒部１１１の外周には、ピント操作環１０１と、ズーム操作環１０２とが、それぞれ回転可能に装着されている。
【００２２】
外筒部１１１と固定内筒１１２の間には、図示しない合焦モータや当該レンズ鏡筒１００を制御するレンズ制御部を構成する制御基板等が収容される空間が形成されている。
図３に示すように、固定内筒１１２は、ガイドバー保持筒１３０の移動を案内する可動内筒直進溝１１３と、カム筒１２０を移動駆動するカム溝１１４と、を備えている。
【００２３】
カム筒１２０は、固定内筒１１２の内側に、回転および直進移動可能として配置されている。図３に示すように、カム筒１２０は、外周面に突設されたフォロアピン１２１と、光軸ＯＡと平行に形成された直進操作溝１２２と、ガイドバー保持筒１３０を移動操作する内筒カム溝１２３と、ブレ補正ユニット２００（第４レンズ群Ｌ４）を移動操作する４群カム溝１２４とを、備えている。
フォロアピン１２１は、固定内筒１１２に形成されたカム溝１１４に摺動移動可能に嵌合している。直進操作溝１２２には、ズーム操作環１０２に固定された操作キー１０４が固定内筒１１２を貫通して嵌合している。
これにより、カム筒１２０は、ピント操作環１０１の回転によって操作キー１０４を介して回転操作され、フォロアピン１２１が嵌合する固定内筒１１２のカム溝１１４の光軸ＯＡ方向における変位に従って直進移動する。
【００２４】
第１レンズ群Ｌ１と第２レンズ群Ｌ２は、それぞれ第１レンズ枠Ｆ１および第２レンズ枠Ｆ２に保持され、固定鏡筒１１０に直進移動可能に設けられている。第１レンズ枠Ｆ１および第２レンズ枠Ｆ２は、図示しない連繋機構を介してカム筒１２０と連繋しており、第１レンズ群Ｌ１と第２レンズ群Ｌ２はカム筒１２０の回転および直進に連動して直進するようになっている。
【００２５】
ガイドバー保持筒１３０は、略円筒状の部材であって、カム筒１２０の内側に回転および直進移動可能に配置されている。
ガイドバー保持筒１３０には、その前方側端部近傍に第３レンズ群Ｌ３が第３レンズ枠Ｆ３を介して固定され、背面側の端部に第５レンズ群Ｌ５が第５レンズ枠Ｆ５を介して固定されている。
【００２６】
また、ガイドバー保持筒１３０の内部には、一対のガイドバー（メインガイドバー１４１およびサブガイドバー１４２）が光軸ＯＡと平行に配設されている。これらのガイドバー１４１，１４２は、ブレ補正ユニット２００（第４レンズ群Ｌ４）を直進移動可能に支持している。
すなわち、ガイドバー保持筒１３０は、第３レンズ群Ｌ３および第５レンズ群Ｌ５を固定保持すると共に、ガイドバー１４１，１４２で第４レンズ群Ｌ４（ブレ補正ユニット２００）を直進移動可能に保持している。
【００２７】
ガイドバー保持筒１３０の外周面には、フォロアピン１３３が突設されている。フォロアピン１３３は、カム筒１２０に形成された内筒カム溝１２３に摺動移動可能に嵌合してこれを貫通し、その先端が固定内筒１１２の内周に形成された可動内筒直進溝１１３に摺動移動可能に嵌合している。
これにより、ガイドバー保持筒１３０は、カム筒１２０の回転および直進に伴って、可動内筒直進溝１１３に規定されつつ内筒カム溝１２３によって移動駆動されて、直進移動する。
【００２８】
ブレ補正ユニット２００は、ベース枠２１０と、ブレ補正光学系である第４レンズ群Ｌ４を保持しベース枠２１０に対して光軸ＯＡと直交する方向に移動可能な防振レンズ保持枠２２０と、を備え、全体の概略形状が所定厚さの円盤状に構成されている。また、ブレ補正ユニット２００は、その外周に、ガイド軸受部２３０と、回り止め係合部２４０と、フォロアピン２０１と、を備えている。
【００２９】
ベース枠２１０は、所定厚さの円盤状であって、ガイド軸受部２３０、回り止め係合部２４０およびフォロアピン２０１は、このベース枠２１０の外周面に設けられている。
防振レンズ保持枠２２０は、所定厚さの円盤状であって、中央に第４レンズ群Ｌ４を保持している。
ベース枠２１０と防振レンズ保持枠２２０の間には、図示しない一対（Ｘ軸方向およびＹ軸方向）のボイスコイルモータが介設されており、このボイスコイルモータによって防振レンズ保持枠２２０はベース枠２１０に対して光軸ＯＡと直交する方向に移動駆動されるようになっている。
【００３０】
ガイド軸受部２３０には、ガイドバー保持筒１３０におけるメインガイドバー１４１に所定の嵌合公差でガタ無く摺動移動可能に嵌合するスリーブ２３１が光軸ＯＡと平行に圧入固定されている。
回り止め係合部２４０は、外側に開放するＵ字状の係合溝２４１を備えている。係合溝２４１の幅（対向面の間隔）は、サブガイドバー１４２が摺動移動可能に嵌るように設定されている。
フォロアピン２０１は、ブレ補正ユニット２００の外周所定位置に突設されており、図３に示すように、ガイドバー保持筒１３０を貫通（遊嵌）し、その外周側に位置するカム筒１２０の４群カム溝１２４に摺動移動可能に嵌合している。
【００３１】
そして、ブレ補正ユニット２００は、ガイド軸受部２３０のスリーブ２３１がメインガイドバー１４１に嵌合し、回り止め係合部２４０の係合溝２４１がサブガイドバー１４２に嵌合している。メインガイドバー１４１に案内されると共にサブガイドバー１４２によって回転が規制され、回転することなく直進移動可能としてガイドバー保持筒１３０に設けられている。
ブレ補正ユニット２００は、カム筒１２０が回転および直進するとその４群カム溝１２４によってフォロアピン２０１が操作され、メインガイドバー１４１に沿って直進移動する。
すなわち、ブレ補正ユニット２０は、ズーム操作環１０２の回転によるカム筒１２０の回転および直進によって直進移動するガイドバー保持筒１３０の内部を、ガイドバー保持筒１３０とは独立した異なる関係で回転することなく直進移動する。
【００３２】
上記のように構成されたレンズ鏡筒１００は、固定鏡筒１１０における外筒部１１１に設けられたズーム操作環１０２が回転操作されると、操作キー１０４を介して回転操作されてカム筒１２０が回転しつつ直進する。
このカム筒１２０の回転および直進によって、第１レンズ枠Ｆ１（第１レンズ群Ｌ１），第２レンズ枠Ｆ２（第２レンズ群Ｌ２），ブレ補正ユニット２００（第４レンズ群Ｌ４）およびガイドバー保持筒１３０（第３レンズ群Ｌ３と第５レンズ群Ｌ５）が、それぞれ所定の関係で直進して光軸ＯＡ方向に相対変位し、焦点距離の変更（ズーミング）が行われる。
ブレ補正ユニット２００は、その保持する第４レンズ群Ｌ４を光軸ＯＡと直交する面内で手振れ等に起因する結像面における像移動を相殺するように移動駆動し、像ブレを補正するように作用する。
【００３３】
つぎに、ガイドバー保持筒１３０への、第３レンズ群Ｌ３（第３レンズ枠Ｆ３）、第５レンズ群Ｌ５（第５レンズ枠Ｆ５）、およびメインガイドバー１４１の装着構造について、詳細に説明する。
ガイドバー保持筒１３０は、前述したように、円筒状の部材であって、カム筒１２０の内側に摺動回転および光軸方向に摺動移動可能に嵌合配置されている。
ガイドバー保持筒１３０は、所定長さの円筒状の基筒部１３１と、この基筒部１３１の前面側近傍の内周に取り付けられた３群フランジ１３１Ｆと、背面側の端面に取り付けられた５群フランジ１３２を備える。そして、これらのフランジによって、ブレ補正ユニット２００（第４レンズ群Ｌ４）を直進移動可能に支持する一対のガイドバー（メインガイドバー１４１およびサブガイドバー１４２）を保持している。
【００３４】
３群フランジ１３１Ｆは、基筒部１３１の内周に、所定内径の円環状に突出形成されている。３群フランジ１３１Ｆは、光軸ＯＡ方向に所定の厚さを有している。その背面側の面は光軸ＯＡと直交する３群装着面１３１Ｐとなっている。この３群装着面１３１Ｐには、第３レンズ枠Ｆ３を固定するための３群ネジ孔１３１Ｓがたとえば周方向に３箇所配設されている。
３群フランジ１３１Ｆの３群装着面１３１Ｐには、第３レンズ群Ｌ３を保持する第３レンズ枠Ｆ３が、３群ネジ孔１３１Ｓに螺合した３群固定ネジ１３４によって締着されている。この第３レンズ枠Ｆ３およびその装着構造については、後に詳述する。
【００３５】
５群フランジ１３２は、所定厚さの円環状である。５群フランジ１３２は、基筒部１３１の背面側の端面に、図示しない固定ネジによって締着されて一体に固定されている。
５群フランジ１３２の背面には、光軸ＯＡと直交する５群装着面１３２Ｐが配設されている。この５群装着面１３２Ｐには、第５レンズ枠Ｆ５を固定するための５群固定ネジ孔１３２Ｓが配設されている。
５群フランジ１３２の５群装着面１３２Ｐには、第５レンズ群Ｌ５を保持する第５レンズ枠Ｆ５が、その５群固定ネジ孔１３２Ｓに螺合した５群固定ネジ１３５によって締着されている。この第５レンズ枠Ｆ５およびその装着構造については、後に詳述する。
【００３６】
メインガイドバー１４１およびサブガイドバー１４２は、それぞれ所定径の丸軸状の部材である。メインガイドバー１４１およびサブガイドバー１４２は、基筒部１３１の３群フランジ１３１Ｆと５群フランジ１３２とにそれぞれ端部が支持されて、ガイドバー保持筒１３０の内部の内周近傍に、光軸ＯＡと平行に設けられている。メインガイドバー１４１とサブガイドバー１４２の配設位置は、周方向に所定量離間して設定されている。
【００３７】
メインガイドバー１４１とサブガイドバー１４２は、前面側の端部１４１Ａ、１４２Ａがそれぞれガイドバー保持筒１３０の３群フランジ１３１Ｆに形成されたガイドバー支持孔１３１Ｈに圧入固定されている。そしてメインガイドバー１４１の背面側の端部１４１Ｂは、偏心カラー１５０を介して５群フランジ１３２に支持されている。
【００３８】
偏心カラー１５０は、５群フランジ１３２に回転可能に装着され、メインガイドバー１４１における背面側の端部１４１Ｂを支持している。
図５に示すように、偏心カラー１５０は、基部１５１と小径部１５２の二段の外径を有する円柱状である。基部１５１側の端面には、メインガイドバー１４１がガタ無く摺動回転可能に嵌合するガイドバー支持孔１５３が、図５（ｂ）に示すように、その中心軸から所定量：ｅだけ偏心した位置に所定深さに形成されている。また、小径部１５２側の端面には、所定幅で所定深さの操作スリット１５４が径方向に形成されている。
【００３９】
偏心カラー１５０は、５群フランジ１３２の背面側に形成された調整支持孔１３２Ａに、小径部１５２を背面側に向け、光軸ＯＡと平行な軸回りにガタ無く摺動回転可能に嵌合している。偏心カラー１５０のガイドバー支持孔１５３には、メインガイドバー１４１の背面側の端部が摺動回転可能に嵌合している。これによって、偏心カラー１５０がメインガイドバー１４１の背面側の端部を支持している。
【００４０】
このような偏心カラー１５０によるメインガイドバー１４１の支持構造によれば、図５に示すように、操作スリット１５４をドライバー等によって操作して偏心カラー１５０を図５中矢印Ｒで示すように回転させると、偏心カラー１５０の回転中心から偏心したガイドバー支持孔１５３に支持されたメインガイドバー１４１の端部が、偏心量：ｅを半径として移動操作される。
その結果、メインガイドバー１４１は、ガイドバー保持筒１３０における３群フランジ１３１Ｆのガイドバー支持孔１３１Ｈによって支持された前端部を支点として（３群フランジ１３１Ｆの弾性変形によって）図５中矢印Ｓで示すように揺動し、光軸ＯＡに対する角度が変化する。
【００４１】
前述したように、メインガイドバー１４１は、ブレ補正ユニット２００を支持してその移動を案内するものである。このため、当該メインガイドバー１４１の光軸ＯＡに対する角度を変化させることで、ブレ補正ユニット２００の保持する第４レンズ群Ｌ４が図５中矢印Ｔで示すように移動し、その光軸の当該レンズ鏡筒１００の光軸ＯＡに対して直交する方向（シフト方向）におけるズレを調整（調心）できる。
【００４２】
つぎに、基筒部１３１における３群フランジ１３１Ｆの３群装着面１３１Ｐへの第３レンズ枠Ｆ３の固定構造を説明する。
図４に示すように、第３レンズ枠Ｆ３は、第３レンズ群Ｌ３を保持する保持筒部１６１の外周に、所定厚さで所定径の円盤状の装着フランジ１６２を備えている。
装着フランジ１６２は、その前面を、保持筒部１６１が保持する第３レンズ群Ｌ３の光軸と直交する位置決め面１６３として形成されている。また、装着フランジ１６２は、メインガイドバー１４１およびサブガイドバー１４２と対応する位置に、それぞれ位置決め嵌合孔１６４と回り止め係合部１６５とを備えている。さらに、装着フランジ１６２には、ガイドバー保持筒１３０における３群フランジ１３１Ｆへの固定孔１６６が配設されている。
【００４３】
位置決め嵌合孔１６４は、ガイドバー保持筒１３０におけるメインガイドバー１４１に所定の嵌合公差でガタ無く摺動移動可能に嵌合するように形成されている。
回り止め係合部１６５は、外側に開放するＵ字状に形成され、その幅（対向面の間隔）は、サブガイドバー１４２が摺動移動可能に嵌るように設定されている。
【００４４】
そして、第３レンズ枠Ｆ３は、位置決め嵌合孔１６４がメインガイドバー１４１に嵌合され、回り止め係合部１６５がサブガイドバー１４２に摺動移動可能に係合している。そして、位置決め面１６３と３群フランジ１３１Ｆの３群装着面１３１Ｐとを面接触させた状態で、固定孔１６６を介して３群フランジ１３１Ｆの３群ネジ孔１３１Ｓに３群固定ネジ１３４を螺合することによって３群フランジ１３１Ｆに固定されている。
なお、固定孔１６６の径は、光軸調整時における第３レンズ枠Ｆ３の光軸ＯＡと直交する方向の移動を許容し得るように、３群固定ネジ１３４の径に対して所定量大きく設定されている。
【００４５】
このようなガイドバー保持筒１３０における３群フランジ１３１Ｆへの第３レンズ枠Ｆ３の装着構造では、第３レンズ枠Ｆ３の光軸ＯＡと直交する面に対する傾き（チルト）は、３群フランジ１３１Ｆの３群装着面１３１Ｐによって規定される。
一方、第３レンズ群Ｌ３の光軸ＯＡと直交する方向における位置（シフト）は、メインガイドバー１４１の傾きによって規定される。
さらにガイドバー１４１に係合されるブレ補正ユニット２００と装着フランジ１６２との偏心を少なくできる。
【００４６】
このため、偏心カラー１５０の回転操作によるメインガイドバー１４１の角度調整によって第３レンズ群Ｌ３のシフト方向の調整を行う場合にチルトが発生しないので、調整が容易になる。
【００４７】
つぎに、基筒部１３１における５群フランジ１３２の５群装着面１３２Ｐへの第５レンズ枠Ｆ５の固定構造を説明する。
第５レンズ枠Ｆ５は、第５レンズ群Ｌ５を保持する保持筒部１７１の外周に、所定厚さで所定径の円盤状の装着フランジ１７２を備えている。
装着フランジ１７２は、その前面を、保持筒部１７１が保持する第５レンズ群Ｌ５の光軸と直交する位置決め面１７３として形成されている。また、装着フランジ１７２には、５群フランジ１３２への固定孔１７４が配設されている。固定孔１７４は、５群固定ネジ１３５の外径に対して所定の調整クリアランスを有する径に設定されている。
【００４８】
そして、第５レンズ枠Ｆ５は、その位置決め面１７３を５群フランジ１３２の５群装着面１３２Ｐに当接させ、固定孔１７４を介して５群フランジ１３２の５群固定ネジ孔１３２Ｓに螺合した５群固定ネジ１３５によって、５群フランジ１３２に固定されている。
この第５レンズ枠Ｆ５（第５レンズ群Ｌ５）の基筒部１３１における５群フランジ１３２への固定構造によれば、第５レンズ枠Ｆ５が保持する第５レンズ群Ｌ５の光軸ＯＡに直交する面に対する傾きは、５群フランジ１３２の５群装着面１３２Ｐによって規定される。
また、第５レンズ群Ｌ５の光軸ＯＡと直交する方向における位置（シフト）は、５群フランジ１３２に固定する５群固定ネジ１３５を緩めることで、５群固定ネジ１３５と固定孔１７４の間の調整クリアランスの範囲で調整することができる。
【００４９】
上記のような、ガイドバー保持筒１３０への第３レンズ群Ｌ３（第３レンズ枠Ｆ３），第５レンズ群Ｌ５（第５レンズ枠Ｆ５）、およびメインガイドバー１４１の装着構造によれば、メインガイドバー１４１は、偏心カラー１５０の回転によって前端部を支点として揺動する。この揺動によって、その支持するブレ補正ユニット２００における第４レンズ群Ｌ４を光軸ＯＡと直交する方向に移動させて、当該レンズ鏡筒１００の光軸ＯＡと直交する方向における位置を調整（調心）できる。
【００５０】
第３レンズ群Ｌ３は、光軸ＯＡと直交する面に対する傾きが３群フランジ１３１Ｆの３群装着面１３１Ｐによって規定され、光軸ＯＡと直交する方向における位置はメインガイドバー１４１によって規定される。
これにより、偏心カラー１５０の回転操作によるメインガイドバー１４１の角度調整によって第４レンズ群Ｌ４の光軸調整（調心）を行っても、第３レンズ群Ｌ３の光軸と第４レンズ群Ｌ４の光軸との間に生ずるズレを抑制できる。
【００５１】
また、第３レンズ群Ｌ３の光学軸に対してメインガイドバー１４１を調整すると、メインガイドバー１４１に支持された第４レンズ群Ｌ４は、光軸ＯＡに対して直交する方向の移動（シフト）と同時に、光軸ＯＡに直交する面に対する傾き（チルト）を生ずる。
本構成では、メインガイドバー１４１に対して第３レンズ群Ｌ３が位置決めされるため、シフトがゼロになる調整量と、チルトがゼロになる調整量の乖離が少ない。従って、より良好な光学性能調整結果を得られる。
【００５２】
なお、位置決め嵌合孔１６４および回り止め係合部１６５にはメインガイドバー１４１およびサブガイドバー１４２に対して若干のクリアランスが存在し、これは光軸ＯＡと直交する方向における偏心の許容量に対し非常に小さい量である。
一方、第３レンズ群Ｌ３はメインガイドバー１４１の調心時における揺動支点近傍に位置するため、メインガイドバー１４１の揺動に対しする位置決め嵌合孔１６４のクリアランスは十分大きい。
【００５３】
第５レンズ群Ｌ５は、光軸ＯＡと直交する面に対する傾きが５群フランジ１３２の５群装着面１３２Ｐによって規定され、光軸ＯＡと直交する方向における位置は５群固定ネジ１３５と固定孔１７４の間の調整クリアランスの範囲で調整することができる。
【００５４】
そして、上記構成における、ガイドバー保持筒１３０が保持する第３レンズ群Ｌ３，第４レンズ群Ｌ４および第５レンズ群Ｌ５の光軸調整は、望遠側状態において、無限円の点光源を結像させ、結像点に発生するコマの方向と量を確認しながら、偏心カラー１５０を回転させ（メインガイドバー１４１を揺動させ）、コマが最小になる位置で偏心カラー１５０を固定する。
たとえば、５群フランジ１３２における調整支持孔１３２Ａの内周と、偏心カラー１５０における小径部１５２の外周との間に接着剤を充填し、両者を固着させる。
【００５５】
以上、本実施形態によると、以下の効果を有する。
（１）メインガイドバー１４１は、偏心カラー１５０の回転によって前端部を支点として揺動し、その支持するブレ補正ユニット２００における第４レンズ群Ｌ４の光軸ＯＡと直交する面に対する角度を調整することができる。
【００５６】
（２）第３レンズ群Ｌ３は、光軸ＯＡと直交する面に対する傾きが３群フランジ１３１Ｆの３群装着面１３１Ｐによって規定され、光軸ＯＡと直交する方向における位置はメインガイドバー１４１によって規定される。これにより、偏心カラー１５０の回転操作によるメインガイドバー１４１の角度調整によって第４レンズ群Ｌ４の光軸調整（調心）を行っても、第３レンズ群Ｌ３の光軸と第４レンズ群Ｌ４の光軸との間に生ずるズレを抑制できる。その結果、第３レンズ群Ｌ３と第４レンズ群Ｌ４との偏心が少なく、光学性能の劣化を小さくできる。
また、第４レンズ群Ｌ４の光軸調整（調心）時において、シフトとチルトの相関が良く、調心の追い込みがし易い。
【００５７】
（３）第５レンズ群Ｌ５は、光軸ＯＡと直交する面に対する傾きが５群フランジ１３２の５群装着面１３２Ｐによって規定され、光軸ＯＡと直交する方向における位置は５群固定ネジ１３５と固定孔１７４の間の調整クリアランスの範囲で調整することができる。
【００５８】
（変形形態）
本発明は、以上説明した実施形態に限定されることなく、以下に示すような種々の変形や変更が可能であり、それらも本発明の範囲内である。
（１）上記実施形態は、本発明を、メインガイドバー１４１によってブレ補正光学系である第４レンズ群Ｌ４を備えるブレ補正ユニット２００が支持案内される構成に適用した。しかし、ガイドバーによって案内される光学系はブレ補正光学系に限らず、他の光学要素であっても良い。また、全体の光学系の構成も、本実施形態に限定されるものではない。
【００５９】
（２）上記実施形態では、メインガイドバー１４１が偏心カラー１５０によって揺動操作されてブレ補正ユニット２００（第４レンズ群Ｌ４）の光軸調整を行うが、サブガイドバー１４２も同様に揺動操作して光軸調整を行うように構成しても良い。
【００６０】
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００６１】
１：カメラ、１０：カメラ本体、１６：撮像素子、１００：レンズ鏡筒、１３０：ガイドバー保持筒、１３１：基筒部、１３１Ｆ：３群フランジ、１３１Ｈ：ガイドバー支持孔、１３１Ｐ：３群装着面、１３１Ｓ：３群ネジ孔、１３２：５群フランジ、１３２Ａ：調整支持孔、１３２Ｈ：ガイドバー支持孔、１３２Ｐ：５群装着面、１３２Ｓ：５群固定ネジ孔、１４１：メインガイドバー、１４２：サブガイドバー、１５０：偏心カラー、１５３：ガイドバー支持孔、１６３：位置決め面、１６４：位置決め嵌合孔、１６５：回り止め係合部、１６６：固定孔、１７３：位置決め面、１７４：固定孔、２００：ブレ補正ユニット、２１０：ベース枠、２２０：防振レンズ保持枠、２３０：ガイド軸受部、２４０：回り止め係合部、Ｆ３：第３レンズ枠、Ｆ５：第５レンズ枠
【図１】
0006662348.tif 000002
【図２】
0006662348.tif 000003
【図３】
0006662348.tif 000004
【図４】
0006662348.tif 000005
【図５】
0006662348.tif 000006